(57)【要約】【課題】従来の掃除用モップに比べて、床面を傷つける可能性が低く、塵埃の飛散が小さく、清掃部材の交換や洗浄が不要な掃除用具を提供する。【解決手段】床面２を上方より覆い、床面２側が開放された集塵ヘッド１１と、集塵ヘッド１１に取り付けられた把手１とからなり、集塵ヘッド１１は、床面との接触部１７が柔軟性を有する材料からなり、前面の開口１５と、内部空間１６と、後面板１４の一部に設けた通気穴１８とを有し、内部空間１６には、上面板１２に固定され、下端が床面に接触し、互いの側面が分離され、床面との接触部に柔軟性を有する複数の構造体１９を備え、集塵ヘッド１１の開口１５より進入する塵埃を内部空間１６内に捕獲する。【選択図】図１
2018011904.tif 000002
【特許請求の範囲】
【請求項１】
床面を上方より覆い、床面側が開放された集塵ヘッドと、該集塵ヘッドに取り付けられた把手とからなり、前記集塵ヘッドは、少なくとも床面との接触部が柔軟性を有する材料からなり、前面に備えた床面に一辺を有する開口と、内部空間と、側面または後面の一部に設けた通気穴とを有し、前記内部空間には、上端が該内部空間の上部に固定され、下端が床面に接触し、互いの側面が分離され、少なくとも床面との接触部に柔軟性を有する複数の構造体を備え、前記集塵ヘッドの前記開口より進入する塵埃を前記内部空間内に捕獲することを特徴とする掃除用具。
【請求項２】
前記開口の幅は、前記集塵ヘッドの幅と同程度の大きさであることを特徴とする請求項１に記載の掃除用具。
【請求項３】
前記構造体の床面に平行な断面形状は、前面側において、先端に近づくにしたがって幅が細くなる形状であることを特徴とする請求項１又は請求項２に記載の掃除用具。
【請求項４】
前記集塵ヘッドは、前面を一面とする略直方体形状であり、該集塵ヘッドの後面の一部に前記通気穴を有することを特徴とする請求項１乃至請求項３のいずれか１項に記載の掃除用具。
【請求項５】
前記開口は床面に一辺を有する長方形の形状を有し、前記通気穴は床面より一定の高さに設け、床面に平行な一辺を有する長方形の形状を有することを特徴とする請求項４に記載の掃除用具。
【請求項６】
前記集塵ヘッドの前記内部空間において、前記構造体を除いた空間の広さは、後面側の空間に比べ、前面側の空間の方が狭くなっていることを特徴とする請求項１乃至請求項５のいずれか１項に記載の掃除用具。
【請求項７】
前記集塵ヘッドの上面は、少なくとも一部において、前記内部空間に捕獲された塵埃を上部より視認可能な透明材料で構成されていることを特徴とする請求項１乃至請求項６のいずれか１項に記載の掃除用具。
【発明の詳細な説明】
【技術分野】
【０００１】
本発明は、棒状の把手の先に設けた集塵ヘッドを床面上で移動させることにより、床面の塵埃を集塵ヘッド内に捕獲する機能を有する掃除用具に関する。
【背景技術】
【０００２】
一般に、床面の塵埃を拭き取るために、棒状の把手の先にダスターモップヘッドを取り付けた掃除用モップが使用されている。ダスターモップヘッドの下面には塵埃や汚れを拭取る清掃部材が設けられており、その清掃部材として、特許文献１に記載のような布地とパイルを使用した掃除用モップや、特許文献２に記載のような埃や塵を吸着する交換可能なシートを装着した掃除用モップが使用されている。
【先行技術文献】
【特許文献】
【０００３】
【特許文献１】特許第４７５７０４８号公報
【特許文献２】特開２００７−３７９８２号公報
【発明の概要】
【発明が解決しようとする課題】
【０００４】
従来、このような掃除用モップを使用して床などを掃除する場合、紙や布などの清掃部材が床面をほぼ覆って接触しているため、清掃部材の底面に付着して回収される塵埃よりも、ダスターモップヘッドの前面側に溜まっていく塵埃の割合の方が圧倒的に多い。また、清掃部材の底面で塵埃を捕獲した場合、その中に土砂等の硬い塵埃があると、ダスターモップヘッドを動かすたびに硬い土砂等で床面の柔らかいワックス皮膜を擦ることになり、ワックス皮膜が傷つき、傷内に汚れが浸入することで、床面の黒ずみを増加させてしまう。また、前部に塵埃が集まった状態で、ダスターモップヘッドを動かすと、塵埃が飛散しやすいという問題も生ずる。さらに、従来の掃除用モップでは、紙や布などの清掃部材が汚れるたびに交換や洗浄が必要であり、特に布の場合は使用後の洗濯、消毒、乾燥も必要となり、この作業や交換に多くの時間、コストが割かれている。
【０００５】
そこで、本発明は、係る問題を解決するためになされたものであり、従来の掃除用モップに比べて、床面を傷つける可能性が低く、塵埃の飛散が小さく、清掃部材の交換や洗浄が不要な掃除用具を提供することを目的とする。
【課題を解決するための手段】
【０００６】
第１の観点では、本発明は、床面を上方より覆い、床面側が開放された集塵ヘッドと、該集塵ヘッドに取り付けられた把手とからなり、前記集塵ヘッドは、少なくとも床面との接触部が柔軟性を有する材料からなり、前面に備えた床面に一辺を有する開口と、内部空間と、側面または後面の一部に設けた通気穴とを有し、前記内部空間には、上端が該内部空間の上部に固定され、下端が床面に接触し、互いの側面が分離され、少なくとも床面との接触部に柔軟性を有する複数の構造体を備え、前記集塵ヘッドの前記開口より進入する塵埃を前記内部空間内に捕獲することを特徴とする掃除用具を提供する。
【０００７】
本観点の発明の掃除用具では、把手を用いて集塵ヘッドを床面上で前方に動かすことにより、床面上の塵埃は集塵ヘッドの前面の開口より内部空間に進入する。このとき、内部空間には床面に接触する複数の構造体があるので、開口より進入した塵埃は主としてそれらの構造体の前面や側面に付着する。従来のダスターモップヘッドでも塵埃はその前面や側面に付着するが、本発明の掃除用具においては、互いの側面が分離された複数の構造体を有し、その前面や側面の長さの合計は従来のダスターモップヘッドの前面と側面の長さの合計よりも大きい。そこで、本発明の掃除用具における付着可能な塵埃量は従来のダスターモップヘッドよりも非常に多くなる。さらに、側面または後面に通気穴を有するので、塵埃を含んだ空気の流れが前面側から後面側に生じ、進入した塵埃及び構造体に付着した塵埃が前面側から後面側へと押され、内部空間において塵埃が後面側に徐々に溜まってゆく。この場合、通気穴は捕獲された塵埃が集塵ヘッドから排出されにくいように、その設置場所および形状が選択される。さらに、通気穴には塵埃を遮断し、空気のみ通過させるフィルターを備えてもよい。また、構造体の形状、数、配置は前面側から後面側への空気の流れ、塵埃の構造体側面への付着などを考慮して設定される。この場合、塵埃が回転しながら集まるような気流を生じるように、構造体を左右非対称に構成、配置することも可能である。
【０００８】
以上のように、本発明の掃除用具においては、塵埃は内部空間内に捕獲されるので、従来のダスターモップヘッドのようにその前面に溜まった塵埃が飛散するすることがない。また、従来のダスターモップヘッドの清掃部材のようにヘッド全体が床面に接触するのではなく、構造体の接触部および集塵ヘッドの囲いの部分のみ床に接触するので床面との接触面積が小さい。さらに、内部空間において塵埃を含んだ空気の流れがあることにより、塵埃が接触部の下面に挟まれるよりも構造体の側面等に付着したり、内部空間内に捕獲される方が多い。これらにより、従来のダスターモップヘッドと比べ、接触部に挟まれた塵埃により床面を傷つける可能性が低い。また、内部空間に溜まった塵埃を適度に廃棄すればよいので清掃部材の交換も不要である。
【０００９】
ここで、集塵ヘッドの床面との接触部および構造体の床面との接触部の柔軟性を有する材質は、従来のダスターモップヘッドの清掃部材と同様な材料、すなわち、布、紙、スポンジ、ゴム、さらにはブラシのようなものであってもよい。また、構造体は全体が上記の柔軟性を有する材料から構成されていてもよく、一方、集塵ヘッドの囲いの部分は床面との接触部以外はプラスチック板や金属板などの硬い材料で構成されてもよい。なお、集塵ヘッドの上面から見た平面形状および床面に垂直な断面形状は、長方形のみならず、円形、楕円形の一部、その他の任意の形状とすることができる。
【００１０】
第２の観点では、本発明は、第1の観点の掃除用具において、前記開口の幅は、前記集塵ヘッドの幅と同程度の大きさであることを特徴とする。このような構成により、集塵ヘッドの幅いっぱいに開口を有するので、部屋の角の部分の掃除が容易となる。
【００１１】
第３の観点では、本発明は、前記第１または第２の観点の掃除用具において、前記構造体の床面に平行な断面形状は、前面側において、先端に近づくにしたがって幅が細くなる形状であることを特徴とする。本観点の発明では、頂点の１つが前方を向いた三角形や鋭角の頂点が前方を向いた菱形等の、前面側において、先端に近づくにしたがって幅が細くなる形状を断面形状とする複数個の構造体を内部空間に配置する。これにより、内部空間の開口付近において構造体を除いた空間が内部に向かって狭くなり、開口からの空気の流れが構造体の側面に当たるようにすることにより、開口から進入する塵埃の構造体の側面への付着が生じ易くするものである。
【００１２】
第４の観点では、本発明は、前記第1乃至第３の観点の掃除用具において、前記集塵ヘッドは、前面を一面とする略直方体形状であり、該集塵ヘッドの後面の一部に前記通気穴を有することを特徴とする。本観点の発明のように、集塵ヘッドを直方体形状、すなわち箱型とすることにより、製造が容易となり、集塵ヘッドの低コスト化が可能となる。この場合、通気穴は側面よりも後面に設けた方が構造体の周囲の空気の流れがスムーズとなる。
【００１３】
第５の観点では、本発明は、前記第４の観点の掃除用具において、前記開口は床面に一辺を有する長方形の形状を有し、前記通気穴は床面より一定の高さに設け、床面に平行な一辺を有する長方形の形状を有することを特徴とする。このような構成により、開口や通気穴の作製が容易となる。
【００１４】
第６の観点では、本発明は、前記第1乃至第５の観点の掃除用具において、前記集塵ヘッドの前記内部空間において、前記構造体を除いた空間の広さは、後面側の空間に比べ、前面側の空間の方が狭くなっていることを特徴とする。本観点の発明において、構造体を除いた後面側の空間の広さを前面側の空間よりも広くする手段は、構造体の形状や設置数で調整する方法の他に、内部空間の高さを前面側よりも後面側を高くすることによっても実現可能である。このように内部空間の奥側の空間を大きくすることにより、捕獲された塵埃の途中での詰まりや後面側への空気の流れに対する障害を減少させることができる。
【００１５】
第７の観点では、本発明は、前記第１乃至第６の観点の掃除用モップにおいて、前記集塵ヘッドの上面は、少なくとも一部において、前記内部空間に捕獲された塵埃を上部より視認可能な透明材料で構成されていることを特徴とする。本観点の発明では、集塵ヘッドの上面を透明材料で構成することにより、集塵ヘッドを床面上に置いたまま、上部よりその内部空間に捕獲された塵埃の量を確認できる。塵埃の廃棄の要否をいつでも容易に判断できる。さらに、床面上に集塵ヘッドを移動させて内部の塵埃量及びその変化を観察することにより、その床面の塵埃量の状態や清掃の要否を判断することも可能となる。
【発明の効果】
【００１６】
上記のように、本発明により、従来の掃除用モップに比べて、床面を傷つける可能性が低く、塵埃の飛散が小さく、清掃部材の交換や洗浄が不要な掃除用具が得られる。
【図面の簡単な説明】
【００１７】
【図１】実施例１に係る掃除用具を説明するために示す図であり、図１（ａ）は掃除用具の斜視図、図１（ｂ）は集塵ヘッドの底面図、図１（ｃ）は集塵ヘッドの正面図、図１（ｄ）は集塵ヘッドの背面図。
【図２】実施例２に係る掃除用具の集塵ヘッドを示す図であり、図１（ａ）は底面図、図１（ｃ）は正面図、図１（ｄ）は背面図。
【図３】実施例２に係る掃除用具の集塵ヘッドの構造体の変形例を示す集塵ヘッドの底面図。
【図４】実施例３に係る掃除用具の３種類の集塵ヘッドの側断面図。
【図５】実施例４に係る掃除用具の集塵ヘッドを示す図であり、図５（ａ）は上面図、図５（ｂ）は正面図。
【図６】実施例５に係る掃除用具の集塵ヘッドを示す図であり、図６（ａ）は上面図、図６（ｂ）は正面図。
【図７】実施例６に係る掃除用具を示す斜視図。
【発明を実施するための形態】
【００１８】
以下、図面を参照して本発明の掃除用具を実施例により詳細に説明する。なお、図面の説明において同一の要素には同一符号を付し、その重複した説明を省略する。
【実施例１】
【００１９】
図１は、実施例１に係る掃除用具を説明するために示す図であり、図１（ａ）は掃除用具の斜視図、図１（ｂ）は集塵ヘッドの底面図、図１（ｃ）は集塵ヘッドの正面図、、図１（ｄ）は集塵ヘッドの背面図、である。図１（ａ）において、本実施例の掃除用具１０は、床面２を上方より覆い、床面側が開放された集塵ヘッド１１と、集塵ヘッド１１に取り付けられた把手１とから構成されている。集塵ヘッド１１は、直方体形状であり、把手１が取り付けられた上面板１２と、両側の側面板１３と、後面板１４とを有し、前面は開放されて開口１５となり、上面板１２、側面板１３、後面板１４と床面２に囲われた内部に内部空間１６を有している。
【００２０】
側面板１３および後面板１４の床面２と接触する部分である接触部１７は、布やスポンジ、ゴムなどの柔軟性を有する材料から構成されている。また、図１（ｄ）に示すように、後面板１４には円形状の６個の通気穴１８を備えている。図１（ｂ）、（ｃ）に示すように、内部空間１６には、上端が上面板１２に固定され、下端が床面２に接触し、互いの側面が分離された４個の楕円柱状の構造体１９が設置されている。それらの構造体１９は布やスポンジ、ゴムなどの柔軟性を有する材料から構成されている。ここで、構造体１９は、床面２との接触部のみ柔軟性を有する材料から構成され、他の部分は他の材料で構成されていてもよい。柔軟性を有する材料による構成部分以外の部分の構成材料の例としては、プラスチック、木材、金属等が可能である。集塵ヘッド１１の大きさの具体例としては、幅１０〜１２０ｃｍ、奥行き１０〜３０ｃｍ、高さ０．３〜２０ｃｍ程度とすることができる。
【００２１】
本実施例の掃除用具１０において、把手１により集塵ヘッド１１を床面２上で前方に動かすことにより、床面２上の塵埃は集塵ヘッド１１の開口１５より内部空間１６に進入する。開口１５より進入した塵埃の多くは構造体１９の周囲に付着する。この場合、構造体１９の周囲の長さの合計が従来のダスターモップヘッドの周囲の長さよりも大きいので、付着可能な塵埃量は多くなる。さらに、後面板１４に通気穴１８を有するので、塵埃を含んだ空気の流れが開口１５から奥側に向かう方向に生じ、進入した塵埃及び構造体１９に付着した塵埃が開口１５から奥へと押され、内部空間１６の奥に徐々に溜まってゆく。なお、通気穴１８は捕獲された塵埃が集塵ヘッド１１から排出されにくいように、後面板１４の上方に設置され、その大きさも塵埃が排出されないように設定されている。
【００２２】
以上のように、本実施例の掃除用具１０においては、塵埃は内部空間１６内に捕獲されるので、塵埃が飛散することがない。また、集塵ヘッド１１の床面２との間の接触面積が小さく、さらに、内部空間１６内において塵埃を含んだ空気の流れがあることにより、進入した塵埃は接触部と床面２との間に挟まれるよりも構造体の側面等に付着したり、内部空間１６内に捕獲される方が多い。これらにより、接触部に挟まれた塵埃が床面を傷つける可能性は低くなる。
【実施例２】
【００２３】
図２は、実施例２に係る掃除用具の集塵ヘッドを示す図であり、図１（ａ）は底面図、図１（ｃ）は正面図、図１（ｄ）は背面図である。本実施例の掃除用具の集塵ヘッドの外形、把手などは実施例１と同様である。集塵ヘッド２１は床面２を上方より覆い、床面側が開放されている。集塵ヘッド２１は、把手１が取り付けられる上面板２２と、両側の側面板２３と、後面板２４とを有している。但し、前面は、図２（ｂ）に示すように、上部に前面板２７を有し、その下側が開放されて開口２５となり、前面板２７、上面板２２、側面板２３、後面板２４と床面２に囲われた内部に内部空間２６を有している。
【００２４】
側面板２３および後面板２４の床面２と接触する部分は、実施例１と同様に柔軟性を有する材料から構成されている。図２（ｃ）に示すように、後面板２４の上端に床面２に平行な一辺を有する長方形の通気穴２８を備えている。図２（ａ）、（ｂ）に示すように、内部空間２６には、上端が上面板２２に固定され、下端が床面２に接触し、互いの側面が分離された７個の四角柱状の構造体２９が設置されている。本実施例においては、前側に４個、後側に３個の構造体が２段に配置され、空気の流れがスムーズとなるように前後に互い違いに配置されている。これらの構造体の外形は実施例１の構造体１９とは異なるが、材料や内部の構造は構造体１９と同様である。
【００２５】
本実施例の掃除用具においても、集塵ヘッド２１を床面２上で前方に動かすことにより、床面２上の塵埃は集塵ヘッド２１の開口２５より内部空間２６に進入する。開口２５より進入した塵埃の多くは構造体２９の周囲に付着する。この場合、構造体２９の周囲の長さの合計が実施例１の構造体１９よりも大きいので、付着可能な塵埃量はさらに多くなる。さらに、後面板２４に通気穴２８を有し、構造体２９が前後に互い違いに配置されているので、塵埃を含んだ空気の流れが構造体２９の周囲に沿って開口２５から奥側に向かう方向に生じ、塵埃が開口２５から奥へと押され、内部空間２６の奥に徐々に溜まってゆく。通気穴２８は捕獲された塵埃が集塵ヘッド２１から排出されにくいように、後面板２４の上方に設置され、その大きさも塵埃が排出されないように設定されている。
【００２６】
図３は実施例２に係る掃除用具の集塵ヘッドの構造体の変形例を示す集塵ヘッドの底面図である。図３において、本変形例の集塵ヘッド３１の構造体の数および配置は図２（ａ）と同様であるが、構造体の断面形状は、前後方向に鋭角の頂点を有する菱形であり、前段の構造体３９ａは後段の構造体３９ｂよりも小さい。これにより、図２（ａ）の構造体と比べて、開口２５から奥へと向かう空気の流れをよりスムーズにしている。
【実施例３】
【００２７】
図４は、実施例３に係る掃除用具の３種類の集塵ヘッドの側断面図である。本実施例においては、集塵ヘッドの平面形状は、実施例１及び２と同様な矩形であるが、前後方向においては開口の高さに比べて後側の内部空間の高さが高くなっている。図４（ａ）の集塵ヘッド４１ａでは、開口４５から奥側に高くなるように傾斜した上面板４２ａを用いている。図４（ｂ）の集塵ヘッド４１ｂでは、開口４５から２段階に内部空間４６ｂの高さを高くした上面板４２ｂを用いている。図４（ｃ）の集塵ヘッド４１ｃでは、開口４５から３段階に内部空間４６ｃの高さを高くした上面板４２ｃを用いている。いずれの集積ヘッドも、構造体を省略して記載しているが、実施例１及び２と同様な構造体を使用できる。また、後面板４４と、そこに形成した通気穴４８も実施例２と同様である。
【００２８】
本実施例においては、開口部の空間を奥側の内部空間よりも狭くすることにより、塵埃を集塵ヘッドの奥へと押し込む空気の流れを促進し、より塵埃を後面側に貯め易くし、かつ、塵埃の開口からの飛散を抑えることができる。なお、上面板をさらに多段に分割して構成すること、傾斜と多段分割を併用することなども可能である。
【実施例４】
【００２９】
図５は、実施例４に係る掃除用具の集塵ヘッドを示す図であり、図５（ａ）は上面図、図５（ｂ）は正面図である。図５（ａ）に示すように、本実施例においては、集塵ヘッド５１の平面形状は台形であり、短辺側に開口５５を備えている。後面板５４に実施例１又は２と同様な通気穴を備え、構造体５９も実施例１又は２と同様な構造体とすることができる。
【実施例５】
【００３０】
図６は、実施例５に係る掃除用具の集塵ヘッドを示す図であり、図６（ａ）は上面図、図６（ｂ）は正面図である。図６（ａ）に示すように、本実施例においては、集塵ヘッド６１の平面形状は半楕円形であり、直線側に開口６５を備えている。本実施例においては、集塵ヘッド６１の上面板６２は側面板及び後面板と一体となった曲面形状を有しており、開口６５の上部に前面板６７を備えている。図６には記載を省略しているが、後面側に、床面２に平行なスリット状の通気穴、または床面に平行に配置された複数の穴からなる通気穴を備えている。構造体６９も実施例１又は２と同様な構成の構造体を用いることができる。
【実施例６】
【００３１】
図７は実施例６に係る掃除用具を示す斜視図である。本実施例の掃除用具７０の基本的な構成は実施例１又は２と同様であるが、集塵ヘッド７１の上面板７２の一部に内部空間７６に捕獲された塵埃を上部より視認可能な透明材料で構成された窓７２ａを備えている。この窓７２ａにより、集塵ヘッド７１を床面上に置いたまま、上部よりその内部空間７６に捕獲された塵埃の量を確認でき、塵埃の廃棄の要否をいつでも容易に判断できる。さらに、床面２上に集塵ヘッド７１を移動させて内部の塵埃量及びその変化を観察することにより、その床面２の塵埃量の状態や清掃の要否を判断することも可能となる。窓７２ａは、透明なプラスチック材やガラスなどで構成できる。また、上面板７２は、把手１の取付部以外の部分をすべて透明な材料で構成してもよい。
【００３２】
なお、本発明は上記の実施例に限定されるものではないことは言うまでもなく、目的や用途に応じて設計変更可能である。例えば、集塵ヘッドの形状は、内部空間を有する形状であれば任意に設計可能である。また、構造体の形状や数、構成材料も集塵ヘッドの内部空間の形状や用途、床面の塵埃量などに応じて任意に選択可能である。さらに、集塵ヘッドに、汚れの拭取りやワックス掛けなどの他の機能を有する部材を付加することも可能である。
【符号の説明】
【００３３】
１    把手
２    床面
１０、７０    清掃用具
１１、２１、３１、４１ａ、４１ｂ、４１ｃ、５１、６１、７１    集塵ヘッド
１２、２２、４２ａ、４２ｂ、４２ｃ、５２、６２、７２          上面板
１３、２３、５３    側面板
１４、２４、４４、５４    後面板
１５、２５、４５、５５、６５、７５    開口
１６、２６、３６、７６    内部空間
１７    接触部
１８、２８、４８    通気穴
１９、２９、３９ａ、３９ｂ、５９、６９    構造体
２７、６７    前面板
７２ａ    窓
【図１】
2018011904.tif 000003
【図２】
2018011904.tif 000004
【図３】
2018011904.tif 000005
【図４】
2018011904.tif 000006
【図５】
2018011904.tif 000007
【図６】
2018011904.tif 000008
【図７】
2018011904.tif 000009
【手続補正書】
【提出日】平成29年6月16日(2017.6.16)
【手続補正１】
【補正対象書類名】特許請求の範囲
【補正対象項目名】請求項１
【補正方法】変更
【補正の内容】
【請求項１】
床面を上方より覆い、床面側が開放された集塵ヘッドと、該集塵ヘッドに取り付けられた把手とからなり、前記集塵ヘッドは、前面に備えた床面に一辺を有する開口と、内部空間とを有し、前記内部空間を囲む前記開口以外の側面及び後面は床面に同時に接触するように構成され、前記側面及び後面の床面との接触部は柔軟性を有する材料からなり、前記側面または後面の一部に床面から離して設けた通気穴を有し、
前記内部空間には、上端が前記内部空間の上部に固定され、下端が床面に接触し、互いの側面が分離され、少なくとも床面との接触部に柔軟性を有する複数の構造体を備え、前記集塵ヘッドの前記開口より進入する塵埃を前記内部空間内に捕獲することを特徴とする掃除用具。